(57)【要約】【課題】  本発明は、原稿搬送ベルトのすべりを防止する原稿搬送装置と、この原稿搬送装置を備えて画像を確実に読み取れる画像処理装置とを提供することを目的とする。【解決手段】  上記課題を解決するために、本発明に係る原稿搬送装置および画像処理装置の代表的な構成は、フレームに設けられた一対のローラに張設されたベルトによって原稿を搬送する原稿搬送装置において、前記フレームに設けられたバネ掛け部と、一方のローラを支持し前記フレームに対して移動可能であってバネ掛け部を有するガイド部材と、前記フレームおよびガイド部材のバネ掛け部に作用して前記ベルトに張力を付与するバネと、前記ベルトがゆるむ方向への前記ガイド部材の移動を規制するストッパ部材を設けたことを特徴とする。【選択図】    図１
2005170614.tif 000002
【特許請求の範囲】
【請求項１】
フレームに設けられた一対のローラに張設されたベルトによって原稿を搬送する原稿搬送装置において、
前記フレームに設けられたバネ掛け部と、
一方のローラを支持し前記フレームに対して移動可能であってバネ掛け部を有するガイド部材と、
前記フレームおよびガイド部材のバネ掛け部に作用して前記ベルトに張力を付与するバネと、
前記ベルトがゆるむ方向への前記ガイド部材の移動を規制するストッパ部材を設けたことを特徴とする原稿搬送装置。
【請求項２】
前記ガイド部材は、原稿搬送方向下流側に配置されたローラを支持することを特徴とする請求項１記載の原稿搬送装置。
【請求項３】
前記ストッパ部材は、前記ガイド部材の位置に応じて、その移動を規制する位置を調整して固定可能であることを特徴とする請求項１記載の原稿搬送装置。
【請求項４】
前記ストッパ部材は、
該ストッパ部材を固定するネジを挿通しうる長穴と、
前記ガイド部材に当接し前記長穴に対して傾斜した端面を備え、
前記長穴に沿って移動させることにより位置調整可能であることを特徴とする請求項１記載の原稿搬送装置。
【請求項５】
請求項１乃至４のいずれか１項記載の原稿搬送装置と、
前記原稿搬送装置によって原稿が搬送されるプラテンと、
前記プラテンを介して原稿の画像を読み取る画像読取手段とを備えたことを特徴とする画像処理装置。
【発明の詳細な説明】
【技術分野】
【０００１】
本発明は、積載された原稿を画像読取装置のプラテンガラス上に給送する原稿搬送装置、およびこのような原稿搬送装置を備えた画像処理装置に関するものである。
【０００２】
なお、本発明は画像読取装置に用いられる原稿搬送装置に関するものであるが、そのような装置はさらに画像形成装置を備えていてもよい。すなわち本出願において画像処理装置とは画像読取装置や画像形成装置を備えた装置をいい、詳しくは少なくとも画像読取装置を備えた装置をいう。
【背景技術】
【０００３】
画像処理装置には、原稿を読み取ってシートに画像を形成する複写機や、原稿を読み取って遠隔地と送受信するファクシミリ、原稿を読み取ってコンピュータ等に送信するスキャナ、外部から入力された情報をシートに画像を形成することのみ行なうプリンタ、あるいはこれ等の複合機等がある。このような画像処理装置には、原稿搬送装置であるＡＤＦ（automatic document feeder）が設けられていることが多い。
【０００４】
ＡＤＦは、複写機に組み込まれている場合、複写機のプラテンガラス上に原稿を給送載置し、露光終了した後にプラテンガラス上から撤去する手数を省くようになっている。すなわち、ＡＤＦは、頁順に重ねて原稿載置台上に載置された原稿束から１枚ずつ分離してプラテンガラス上の所定の露光位置に給送し、露光後の原稿を自動的に原稿受けに排出しスタックする一連の動作を自動的に行なえるようになっている。
【０００５】
図５は従来のＡＤＦの正面断面図、図６はＡＤＦの搬送部の部分断面図であり、搬送ベルト564の一部を切り欠いた状態を示している。図５に示すように、ＡＤＦ550は、複写機本体551の頂部に設けられたプラテンガラス552の上面を覆って取り付けられている。ＡＤＦ550の上部に設けられた原稿載置台555に載置された原稿束は、給送部556の給送ローラ557、分離ローラ558、ピックアッププレート540によって一枚ずつ分離して給送され、搬送部561によってプラテンガラス552上の原稿露光位置に搬送される。プラテンガラス上から排出された原稿は、反転部566によりＵターンさせられて排出部567より原稿受台568上に排出、積載される。
【０００６】
搬送部561は、一対の駆動ローラ562および従動ローラ563に巻掛けられた広幅のエンドレスの搬送ベルト564を有している。搬送ベルト564の下走部564ａは、複数の押圧コロ565によってプラテンガラス552の上面に押圧され、原稿を所定の露光位置に搬送し、露光済みの原稿をプラテンガラス552上から排出するようになっている。
【０００７】
図６に示すように、駆動ローラ562はフレーム511に回転自在に軸支され、端部に取り付けられたタイミングベルトプーリ569を介して駆動を伝達される。従動ローラ563はガイド部材としてのテンショナ板512（ガイド部材）に軸支され、フレーム511に対して原稿搬送方向（矢印Ａ方向）に移動可能に取り付けられている。フレーム511に設けられたバネ掛け部511ａと、テンショナ板512に設けられたバネ掛け部512ａには引っ張りバネ513が架けられており、搬送ベルト564に張力を付与している。これにより搬送ベルト564は常に張力の掛かった状態が維持されている。
【０００８】
ところで、上記構成を有する搬送部561によってプラテンガラス上面を左から右へと原稿搬送させる際に、原稿とプラテンガラス552、または搬送ベルト564とプラテンガラス552との摺擦によって静電気が発生し、プラテンガラス上面に帯電が生じてしまう。特に低湿度環境下において画像面にトナーの占める割合の比較的多いカラー原稿等の搬送においてこの帯電が生じやすい。
【０００９】
このようにプラテンガラス552が帯電してしまうと、搬送ベルト564とプラテンガラス552とが吸着しやすくなり、摩擦力が増大して搬送ベルト564の駆動に多大な負荷を生じてしまう。また、プラテンガラス552と接触している搬送ベルト面がプラテンガラス552と吸着してしまうと、駆動ローラ562がプラテンガラス552に接していない側の従動ローラ563を引き寄せるため、従動ローラ563が引っ張りバネ513の付勢力に抗して駆動ローラ562に向かって移動し、搬送ベルト564がゆるんでしまう。これによって、張力を失ってしまった搬送ベルト564に対して駆動ローラ562がスリップし、原稿を確実に読み取ることができない場合があるという問題が生じていた。
【００１０】
そこで従来からも、駆動ローラ562のスリップを防止するために、駆動ローラ562や従動ローラ563のローラ径を大きくして搬送ベルト564との接触面積を増やすことによりスリップトルクを増大させたり、引っ張りバネ513によるベルト張力を増大させて搬送ベルト564がゆるんでしまう現象を防止するなどの対策がなされてきた。
【発明の開示】
【発明が解決しようとする課題】
【００１１】
しかしながら、上記の如く駆動ローラのスリップを防止するために駆動ローラや従動ローラのローラ径を大きくすると、搬送部が、ひいては原稿搬送装置全体が大型化してしまう。また搬送部の小型化および軽量化、コストダウン、構成の簡単化などを図るために搬送フレームに一体の樹脂成形品を使用した場合などは、バネ掛け部の強度が弱いため、引っ張りバネの張力を上げてベルトの張架力を増大させる対策を行なえないなどの問題が生じていた。
【００１２】
そこで本発明は、原稿搬送ベルトのすべりを防止する原稿搬送装置と、この原稿搬送装置を備えて画像を確実に読み取れる画像処理装置とを提供することを目的とする。特に低湿度環境下においてトナー堆積量の占める割合の高いカラー原稿とプラテンガラスとが搬送時の摺擦によりガラス帯電を生じ搬送ベルトに過負荷を与えることで生じる駆動ローラのスリップを防止する。
【課題を解決するための手段】
【００１３】
上記課題を解決するために、本発明に係る原稿搬送装置および画像処理装置の代表的な構成は、フレームに設けられた一対のローラに張設されたベルトによって原稿を搬送する原稿搬送装置において、前記フレームに設けられたバネ掛け部と、一方のローラを支持し前記フレームに対して移動可能であってバネ掛け部を有するガイド部材と、前記フレームおよびガイド部材のバネ掛け部に作用して前記ベルトに張力を付与するバネと、前記ベルトがゆるむ方向への前記ガイド部材の移動を規制するストッパ部材を設けたことを特徴とする。
【発明の効果】
【００１４】
本発明によれば、搬送ベルトを張架するベルトの一方を支持するガイド部材に対し、ベルトがゆるむ方向へのガイド部材の移動を規制するストッパ部材を設けたことにより、搬送ベルトとプラテンガラスとの搬送抵抗によって生じる軸間縮みを防止し、搬送ベルトと駆動ローラとのスリップを防止することができる。これにより本発明は、搬送ベルトのすべりを防止可能な原稿搬送装置と、この原稿搬送装置を備えて原稿を確実に読み取ることが可能な画像処理装置とを提供することができる。
【００１５】
このとき、駆動ローラや従動ローラのローラ径を大きくしなくてもよく、ユニットならびに装置の小型化が図れる。また、バネの張力を上げてベルトの張架力を増大させる必要もないため、バネ掛け部も樹脂成形品で十分であり、搬送フレームを一体の樹脂成形品を使用して装置構成の簡単化、軽量化、コストダウンなどを図ることができる。
【００１６】
また、ストッパ部材がガイド部材の位置に応じてその移動を規制する位置を調整可能であることにより、装置毎にベルトの長さにばらつきがあった場合にも、適切な位置でガイド部材を規制可能である。
【発明を実施するための最良の形態】
【００１７】
以下、本発明の実施例を図を用いて説明する。まず原稿搬送装置について説明し、次に画像処理装置について説明する。
【００１８】
［原稿搬送装置］
図１は本実施例に係る原稿搬送装置の搬送部を説明する図、図２は原稿搬送装置の正面断面図、図３は原稿搬送装置の側面断面図である。
【００１９】
図２に示すＡＤＦ50は、複写機本体51の頂部に設けられたプラテンガラス52の上面を覆って取り付けられている。図３は図２のＡＤＦ50を左側から見た図であるが、この図において右側にユーザが立ってＡＤＦ550を使用するため、図３の左側が奥側になり、右側が手前側になる。ＡＤＦ50の奥側はヒンジ53で複写機本体51に枢着され、手前側は例えばマグネットキャッチ54で複写機本体に着脱可能に取り付けられている。
【００２０】
ＡＤＦ50の上部には原稿載置台55が設けられている。ＡＤＦ50の左側には、原稿載置台55上に載置された原稿束から１枚ずつ原稿を分離して給送する給送部56が設けられている。給送部56は、給送ローラ57、分離ローラ58、ピックアッププレート40等を備えている。原稿載置台55上の原稿は、不図示のソレノイドによって下降するピックアッププレート40と給送ローラ57との間に挟み込まれた後、給送ローラ57の回転にともない分離ローラ58によって１枚ずつ分離され、搬送部61によってプラテンガラス52上の原稿露光位置に搬送される。搬送部61によってプラテンガラス52の上から排出された原稿は、反転部66によりＵターンさせられて、排出部67より搬送部61の上方にある原稿受台68上に排出されて、スタックされる。
【００２１】
［搬送部］
図１（ａ）はＡＤＦ50の搬送部61の斜視図であり、搬送ベルト64の一部を切り欠いた図である。また図１(b)は従動ローラ63による搬送ベルト64の張架構成部の要部拡大図である。
【００２２】
搬送部61は、一対のローラである駆動ローラ62、従動ローラ63に巻掛けられた広幅のエンドレスの搬送ベルト64、およびこれらを支持するフレーム11などを備えている。フレーム11の水平面部11ｃには複数の孔14があいている。それぞれの孔14に進入した押圧コロ65は、後述の搬送ベルト64の下走部64ａを下方、即ちプラテンガラス52の方に押圧している。従動ローラ63の両端には、搬送ベルト64の縁64ｂを規定するフランジ84が取り付けられている。またフレーム11には、搬送ベルト64の片寄りを防止する１対の規制ガイド21が設けられている。
【００２３】
駆動ローラ62は、フレーム11の前側板11ａと後側板11ｂとのそれぞれの左端側に形成された係合孔部11ｄに、ベアリングを介して軸支されている。駆動ローラ62の奥端にはタイミングベルトプーリ69が圧入されている。このタイミングベルトプーリ69には、不図示のＤＣモータからタイミングベルトにより駆動力が伝達され、搬送ベルト64は、この駆動力によって、正逆方向に回転するようになっている。
【００２４】
搬送ベルト64は、ポリエステル帆布からなるエンドレスベルトを使用している。この搬送ベルト64は、駆動ローラ62と従動ローラ63とに張架されている。
【００２５】
従動ローラ63は、ガイド部材としてのテンショナ板12にベアリングを介して従動ローラ63を回転自由に軸支されている。テンショナ板12は搬送ベルト64に適切な張力を与えるものであり、フレーム11の前側板11ａと後側板11ｂとの両方の右端部に、図１に示す矢印Ａ方向に沿って移動可能に設けられている。
【００２６】
フレーム11にはバネ掛け部11ｅが設けられており、テンショナ板12にも同様にバネ掛け部12ａが設けられている。これらバネ掛け部11ｅ、12ａに引っ張りバネ13を掛けることにより、搬送ベルト64は、常に所定の張力の掛かった状態が維持されている。
【００２７】
またフレーム11には、搬送ベルト64がゆるむ方向へのテンショナ板12の移動を規制するストッパ部材201が取り付けられている。ストッパ部材201は、ストッパ部材201を固定する固定ネジ202を挿通しうる長穴201ａと、テンショナ板12に当接し長穴201ａに対して傾斜した傾斜端面201ｂを備えており、長穴201ａに沿って移動し、位置調整した上で固定可能となっている。またフレーム11のストッパ部材201と反対側には、ストッパ部材201の端面を支持する立ちリブ11ｇが設けられている。
【００２８】
そして図１（ｂ）に示すように、バネ掛け部11ｅ、12ａに引っ張りバネ13をかけて搬送ベルト64に所定の張力を与えた状態で、ストッパ部材201を長穴201ａに沿って（すなわち立ちリブ11ｇに沿って）移動させ、傾斜端面201ｂがテンショナ板12のバネ掛け部12ａの角部に当接した位置で、ストッパ部材201を固定ネジ202により固定する。これにより、搬送ベルト64に所定の張力が掛かった状態で、駆動ローラ62と従動ローラ63との軸間が固定されることとなる。
【００２９】
従って、プラテンガラス52と搬送ベルト64との間に多大な搬送抵抗が生じてしまっても、テンショナ板12の搬送方向にはストッパ部材201が当接しており、ストッパ部材201が固定ネジ202および立ちリブ11ｇによって固定されているため、テンショナ板12の移動を規制することができる。このため駆動ローラ62と従動ローラ63との軸間距離が縮むおそれがなく、駆動ローラ62と搬送ベルト64とのスリップトルクが減少しないため、搬送ベルト64のスリップが生じなくなる。従って低湿度環境などにおいてのカラー原稿搬送といったガラス帯電をしやすい状況下においても安定した原稿搬送を行うことが可能となる。またこれらによる原稿搬送の不具合を防止できる。
【００３０】
また機械毎にベルトの長さにばらつきがあるため、駆動ローラ62と従動ローラ63との軸間が異なり、テンショナ板の固定位置もばらつくことが想定される。これに対し上記説明したようにストッパ部材201がテンショナ板12の移動を規制する位置を調整可能としたことにより、柔軟に適切な位置でガイド部材を規制可能である。
【００３１】
またストッパ部材201によってベルトがゆるむ方向へのテンショナ板12の移動を規制することにより、引っ張りバネ13には過剰な張力を要しない。このためフレーム11として樹脂成型品を使用し、バネ掛け部11ｅや立ちリブ11ｇ、規制ガイド21などもフレーム11と一体に成型することができる。これにより搬送部61の構造を簡単にすることができ、コストダウンを図ることができる。
【００３２】
［画像処理装置］
次に、上記原稿搬送装置が組み込まれる画像処理装置の一例である複写機を、図４に基づいて説明する。図４は、本実施例に掛かる画像処理装置の全体構成図である。複写機900は、ＡＤＦ50、プラテンガラス52、光源907、レンズ系908、シート供給部909、画像形成部902等を備えている。
【００３３】
シート供給部909は、記録用のシートを収納して複写機900の本体51に着脱自在なカセット910、911、ペディスタル912に配置されたデッキ913、及びシートを画像形成部902へ送り込むピックアップローラ等を有している。画像形成部902には、円筒状の感光体ドラム914と、その周囲に配設された現像器915、転写用帯電器916、分離帯電器917、クリーナ918、及び１次帯電器919等を備えている。画像形成部902の下流側には、搬送装置920、定着装置904、及び排出ローラ対905等が配設されている。
【００３４】
次に、複写機900の動作を説明する。複写機900本体51内の制御装置930からシート供給信号が出力されると、カセット910、911又はデッキ913からシートＰが供給される。一方、プラテンガラス52に載置されている原稿Ｄに、光源907から当てられて反射した光は、レンズ系908を介して感光体ドラム914に照射される。感光体ドラム914はあらかじめ１次帯電器919により帯電されており、光が照射されることによって静電潜像が形成され、次いで現像器915により静電潜像を現像してトナー像が形成される。
【００３５】
シート供給部909から給送されたシートＳは、レジストローラ901で斜行が補正され、さらにタイミングが合わされて画像形成部902へ送られる。画像形成部902では、感光体ドラム914上のトナー像が、送られてきたシートＳに転写用帯電器916によって転写される。トナー像が転写されたシートＳは、分離帯電器917によって転写用帯電器916と逆極性に帯電されて、感光体ドラム914から分離される。そして、分離されたシートＳは、搬送装置920により定着装置904に搬送されて、定着装置904によりシートＳに転写画像が永久定着される。画像が定着されたシートＳは、排出ローラ対905により複写機本体51から排出される。このようにして、シート供給部909から給送されたシートＳには、画像が形成されて排出される。
【００３６】
なお、シートには、普通紙、普通紙の代用品である厚みの薄い樹脂製のシート、葉書、ボール紙、封書、プラスチック製の薄板（ＯＨＰ）等がある。
【産業上の利用可能性】
【００３７】
本発明は、積載された原稿を画像読取装置のプラテンガラス上に給送する原稿搬送装置、およびこのような原稿搬送装置を備えた画像処理装置に利用することができる。
【図面の簡単な説明】
【００３８】
【図１】本実施例に係る原稿搬送装置の搬送部を説明する図である。
【図２】原稿搬送装置の正面断面図である。
【図３】原稿搬送装置の側面断面図である。
【図４】本実施例に掛かる画像処理装置の全体構成図である。
【図５】従来のＡＤＦの正面断面図である。
【図６】ＡＤＦの搬送部の部分断面図である。
【符号の説明】
【００３９】
11    …フレーム
11ａ  …前側板
11ｂ  …後側板
11ｃ  …水平面部
11ｄ  …係合孔部
11ｅ  …バネ掛け部
11ｇ  …立ちリブ
12    …テンショナ板
12ａ  …バネ掛け部
13    …引っ張りバネ
14    …孔
21    …規制ガイド
40    …ピックアッププレート
50    …ＡＤＦ
51    …複写機本体
52    …プラテンガラス
53    …ヒンジ
54    …マグネットキャッチ
55    …原稿載置台
56    …給送部
57    …給送ローラ
58    …分離ローラ
61    …搬送部
62    …駆動ローラ
63    …従動ローラ
64    …搬送ベルト
64ａ  …下走部
64ｂ  …縁
65    …押圧コロ
66    …反転部
67    …排出部
68    …原稿受台
69    …タイミングベルトプーリ
84    …フランジ
201   …ストッパ部材
201ａ …長穴
201ｂ …傾斜端面
202   …固定ネジ
511   …フレーム
511ａ …バネ掛け部
512   …テンショナ板
512ａ …バネ掛け部
513   …引っ張りバネ
540   …ピックアッププレート
550   …ＡＤＦ
551   …複写機本体
552   …プラテンガラス
555   …原稿載置台
556   …給送部
557   …給送ローラ
558   …分離ローラ
561   …搬送部
562   …駆動ローラ
563   …従動ローラ
564   …搬送ベルト
564ａ …下走部
565   …押圧コロ
566   …反転部
567   …排出部
568   …原稿受台
569   …タイミングベルトプーリ
900   …複写機
901   …レジストローラ
902   …画像形成部
904   …定着装置
905   …排出ローラ対
907   …光源
908   …レンズ系
909   …シート供給部
910、911   …カセット
912   …ペディスタル
913   …デッキ
914   …感光体ドラム
915   …現像器
916   …転写用帯電器
917   …分離帯電器
918   …クリーナ
919   …１次帯電器
920   …搬送装置
930   …制御装置
【図１】
2005170614.tif 000003
【図２】
2005170614.tif 000004
【図３】
2005170614.tif 000005
【図４】
2005170614.tif 000006
【図５】
2005170614.tif 000007
【図６】
2005170614.tif 000008